(57)【要約】【課題】回転操作部材を回転動作させた際に回転が途中で止まっても、ユーザの意図の応じた動作モードを設定することができるようにする。【解決手段】モード設定部１５は回転操作部材２の回転を検出する検出部５の検出出力に応じて予め設定された複数の動作モードから１つの動作モードを設定する。クリック発生部１０は回転操作部材の回転操作に応じて回転操作部材にクリック力を付加し、モード設定部は回転操作部材を回転軸の回りにおいて第１の方向に回転操作した際、回転操作部材に付加されるクリック力が零となる前の位置で回転操作部材の回転操作に応じて動作モードを切り替える。【選択図】図２
2020102357.tif 000002
【特許請求の範囲】
【請求項１】
所定の方向に延びる回転軸の回りに回転可能な回転操作部材を備え、前記回転操作部材の回転操作に応じた動作モードを設定する回転操作装置であって、
前記回転操作部材の回転を検出する検出手段と、
前記検出手段の検出出力に応じて予め設定された複数の動作モードから１つの動作モードを設定する設定手段と、
前記回転操作部材の回転操作に応じて前記回転操作部材にクリック力を付加する付加手段と、を有し、
前記設定手段は、前記回転操作部材を前記回転軸の回りにおいて第１の方向に回転操作した際、前記付加手段によって前記回転操作部材に付加される前記クリック力が零となる前の位置で前記回転操作部材の回転操作に応じて前記動作モードを切り替えることを特徴とする回転操作装置。
【請求項２】
前記検出手段は、前記回転操作部材とともに回転する回転部材と、
前記回転部材の回転を検出する回転検知部と、を有することを特徴とする請求項１に記載の回転操作装置。
【請求項３】
前記付加手段は、外周面に沿って凹凸形状部が形成され前記回転操作部材の回転を規制する規制部材と、
前記凹凸形状部に当接するクリック部材と、
前記クリック部材を前記規制部材の外周面に付勢する付勢手段と、を有することを特徴とする請求項２に記載の回転操作装置。
【請求項４】
前記回転検知部および前記回転部材の各々は導電性を有し、前記回転検知部および前記回転部材は互いに電気的に接続されていることを特徴とする請求項２又は３に記載の回転操作装置。
【請求項５】
前記設定手段は、前記回転操作部材を前記第１の方向と逆の方向である第２の方向に回転操作した際、前記付加手段によって前記回転操作部材に付加される前記クリック力が零となる後の位置で前記回転操作部材の回転操作に応じて前記動作モードを切り替えることを特徴とする請求項２乃至４のいずれか１項に記載の回転操作装置。
【請求項６】
前記クリック力が零となる位置は、前記回転操作部材を回転操作した際、前記クリック部材が前記凹凸形状部の頂点に当接する位置であることを特徴とする請求項２乃至５のいずれか１項に記載の回転操作装置。
【請求項７】
前記回転操作部材には、所定の回転角度毎にポジションが規定され、前記ポジションの数がｎ（ｎは２以上の整数）である場合に、前記第１の方向に前記回転操作部材を回転操作する際、前記ポジションで規定される指標からの回転角度が（３６０°／ｎ）／４ｄｅｇとなる位置で、前記設定手段は前記動作モードを切り替えることを特徴とする請求項２乃至６のいずれか１項に記載の回転操作装置。
【請求項８】
前記回転操作部材には、所定の回転角度毎にポジションが規定され、前記ポジションの数がｎ（ｎは２以上の整数）である場合に、前記第２の方向に前記回転操作部材を回転操作する際、前記ポジションで規定される指標からの回転角度が３×（３６０°／ｎ）／４ｄｅｇとなる位置で、前記設定手段は前記モードを切り替えることを特徴とする請求項５に記載の回転操作装置。
【請求項９】
前記回転検知部には、互いに絶縁された複数の導電領域が形成されており、
前記回転検知部は、前記回転部材と前記導電領域との接触に応じた信号レベルを検出出力として出力することを特徴とする請求項４に記載の回転操作装置。
【請求項１０】
請求項１乃至９のいずれか１項に記載の回転操作装置と、
前記回転操作装置によって設定された動作モードに応じた制御を行う制御手段と、
を有することを特徴とする電子機器。
【請求項１１】
前記回転操作部材は前記電子機器の筺体の外面に配置されていることを特徴とする請求項１０に記載の電子機器。
【請求項１２】
前記回転操作部材を前記第１の方向に回転操作した際に、操作者の指が接触する位置において前記筺体の外面には凸部が配置されていることを特徴とする請求項１１に記載の電子機器。
【請求項１３】
前記凸部は被写体を視認するためのファインダ部であることを特徴とする請求項１２に記載の電子機器。
【発明の詳細な説明】
【技術分野】
【０００１】
本発明は、回転操作装置および電子機器に関し、特に、デジタルカメラなどの電子機器に搭載される電子ダイヤル装置に関する。
【背景技術】
【０００２】
一般に、デジタルカメラ、ビデオカメラ、又は携帯情報端末などの電子機器には、動作モードおよび各種設定を行うための電子ダイヤル装置が備えられている。そして、電子ダイヤル装置では、例えば、導電パターンを形成した基板を電子機器本体に固定して、ダイヤルの回転に応じて導電パターンに対して摺動する板ばね状の位相接片をダイヤルに固定している。
【０００３】
さらには、電子ダイヤル装置においては、ダイヤルの回転方向に並設された複数の山部および谷部と、谷部に係合する球体とを備えて、ダイヤルの回転に応じて球体が山部を乗り越えて隣接する谷部と係合するようにしている。これによって、ユーザはダイヤルを回転操作した際にクリック感を得ることができる。
【０００４】
このようなダイヤル装置では、球体が谷部を脱し山部を乗り越えて隣接する谷部に係合されるまでの操作を１クリックとして回転動作する。そして、回転動作の際の動作モードの判定は、導電パターンと位相接片との通電状態を検出することによって行われる。例えば、操作感触を犠牲にすることなく安定して導電パターンと位相接片との通電状態（信号）を生成するようにした電子ダイヤル装置が知られている（特許文献１）。
【先行技術文献】
【特許文献】
【０００５】
【特許文献１】特開２０１８−１５９７７３公報
【発明の概要】
【発明が解決しようとする課題】
【０００６】
しかしながら、特許文献１に記載の電子ダイヤル装置では、回転動作の際に回転が途中で停止した場合の動作モードの設定が考慮されていない。つまり、特許文献１に記載の電子ダイヤル装置においては、山部の頂点で動作モードの判定を行っている。その結果、球体が山部の頂点に位置する際に途中で回転が停止した場合には、山部の頂点から少し回転したのみで判定結果が異なってしまう。
【０００７】
このため、動作モードの判定が安定せず、ユーザの意図に反した動作モードに切り替わってしまうことがある。
【０００８】
そこで、本発明の目的は、回転動作させた際に回転が途中で止まっても、ユーザの意図の応じた動作モードを設定することが可能な回転操作装置および電子機器を提供することにある。
【課題を解決するための手段】
【０００９】
上記の目的を達成するため、本発明による回転操作装置は、所定の方向に延びる回転軸の回りに回転可能な回転操作部材を備え、前記回転操作部材の回転操作に応じた動作モードを設定する回転操作装置であって、前記回転操作部材の回転を検出する検出手段と、前記検出手段の検出出力に応じて予め設定された複数の動作モードから１つの動作モードを設定する設定手段と、前記回転操作部材の回転操作に応じて前記回転操作部材にクリック力を付加する付加手段と、を有し、前記設定手段は、前記回転操作部材を前記回転軸の回りにおいて第１の方向に回転操作した際、前記付加手段によって前記回転操作部材に付加される前記クリック力が零となる前の位置で前記回転操作部材の回転操作に応じて前記動作モードを切り替えることを特徴とする。
【発明の効果】
【００１０】
本発明によれば、回転操作部材を回転操作した際に回転が途中で止まっても、ユーザの意図の応じた動作モードを設定することができる。
【図面の簡単な説明】
【００１１】
【図１】本発明の実施の形態による回転操作装置が用いられる撮像装置の本体を示す斜視図である。
【図２】本発明の実施の形態による回転操作装置を分解して示す斜視図である。
【図３】図２に示す電子ダイヤル装置を上側から見た図である。
【図４】図２に示す位相接片の構成を説明するための上面図である。
【図５】図２に示すフレキシブル基板を導電パターンを透視して示す図である。
【図６】図２に示す記憶部に記録されたコード配列表の一例を示す図である。
【図７】図１に示すカメラにおいてユーザによるダイヤルの回転操作を示す斜視図である。
【図８】図２に示す電子ダイヤル装置を回転操作した際の導電パターンに対する位相接片およびクリック板の位置関係の一例を示す図である。
【図９】図２に示す電子ダイヤル装置を回転操作した際の導電パターンに対する位相接片およびクリック板の位置関係の他の例を示す図である。
【発明を実施するための形態】
【００１２】
以下、本発明の実施形態による回転操作装置の一例について図面を参照して説明する。
【００１３】
図１は、本発明の実施の形態による回転操作装置が用いられる撮像装置の本体を示す斜視図である。
【００１４】
図示の撮像装置本体は、例えば、デジタル一眼レフカメラ（以下単にカメラと呼ぶ）において、交換レンズ（撮像光学系）が装着されていない状態のカメラボディ１である。そして、カメラボディ１の上面には、撮影の際に種々の撮影条件を設定するモードダイヤル（回転操作部材：以下単にダイヤルともいう）２が配置されている。当該モードダイヤル２は所定の回転軸の回りに回転可能である。
【００１５】
ユーザ（操作者）はモードダイヤル２を時計回り（第１の方向）又は反時計回り（第２の方向）に回転操作して、シャッター速度優先モード（Ｔｖモード）および絞り値優先モード（Ａｖモード）などの撮影条件を設定する撮影モード（モード）を選択（設定）することができる。モードダイヤル２の上面には、モードダイヤル２の回転位相（状態数）と同数の絵柄が印刷されている。つまり、モードダイヤル２には、所定の回転角度毎に絵柄が印刷されている。そして、当該絵柄と外装カバー（筺体）３の外面に形成された指標１１とを合わせることによって、ユーザはいずれの撮影モードが選択（設定）されているかを知ることができる。
【００１６】
電源レバー１２は、カメラの電源をＯＮ又はＯＦＦとする際に用いられる。カメラボディ１の上面には、交換レンズを介して入射した光学像（つまり、被写体）を観察（視認）するためのファインダ部１６が配置されている。なお、図示の例では、カメラボディ１に交換レンズが装着可能なカメラについて説明したが、撮像光学系とカメラ本体とを一体的に構成するようにしてもよい。
【００１７】
図２は、本発明の実施の形態による回転操作装置を分解して示す斜視図である。
【００１８】
図示の回転操作装置（以下電子ダイヤル装置という）１００は、前述のダイヤル２を備えており、さらに、フレキシブル基板（ＦＰＣ、ハード基板）４を有している。そして、フレキシブル基板４の下面には導電パターン（回転検知部）５が形成されている。そして、導電パターン５からは、後述するように、ダイヤル２の回転操作に応じた検出出力が出力される。
【００１９】
なお、図示の例では、導電パターン５に対する位相接片６およびクリック板７の位置関係を示すため、導電パターン５はフレキシブル基板４の上面から透視して示されている。
【００２０】
クリック発生部（付加手段）１０はダイヤル２の回転動作に応じてクリック感（つまり、クリック力）を発生する。そして、クリック発生部１０はクリック板７、クリックボール８、およびクリックばね９を有している。
【００２１】
クリック板（規制部材）７には位相接片（回転部材）６が備えられており、位相接片６はダイヤル２とともに回転する。なお、位相接片６はクリック板７に熱かしめによって一体化されている。
【００２２】
クリック板７の外周面には、ダイヤル２の回転位相と同数の山部および谷部（凹凸形状部）が形成されており、谷部にクリックボール（クリック部材）８が係合することによってダイヤル２の回転操作の際にクリック感が生じる。つまり、凹凸形状部は位相接片６の回転を規制する。
【００２３】
クリックばね９は、クリックボール８をクリック板７の外周面に付勢する。これによって、クリックボール８がクリック板７の外周面に当接して、前述のように、ダイヤル２の回転動作に応じてクリック感が発生する。
【００２４】
記憶部（メモリ）１４には、後述するコード配列表（コードテーブル）が記憶されている。モード設定部１５は、記憶部１４に記憶されたコードテーブルに基づいて、ダイヤル２の設定位置（後述するポジションＰ１〜Ｐ９）に応じて複数のモード（後述するモードＡ〜Ｉ）を選択的に設定する。
【００２５】
図３は図２に示す電子ダイヤル装置を上側から見た図である。ここでは、図３を参照して、電子ダイヤル装置１００の回転位置とモード（撮影モード）との関係について説明する。
【００２６】
図示のように、ダイヤル２の上面には、モード「Ａ」、「Ｂ」、「Ｃ」、「Ｄ」、「Ｅ」、「Ｆ」、「Ｇ」、「Ｈ」、および「Ｉ」の合計９種類のモードがダイヤル２のポジションＰ１〜Ｐ９にそれぞれ対応して規定されている。ここでは、モードＡ〜Ｉの撮影モードに対応して、回転角度４０ｄｅｇの間隔で配置されているポジションをそれぞれＰ１〜Ｐ９とする。ユーザは、ダイヤル２を回転操作することによって９種類の撮影モードを自由に切り替えることができる。
【００２７】
なお、図示の例では、ダイヤル２には、時計回り又は反時計回りに回転操作を行った際に回転操作不可となる回転終点が設けられていない。よって、ユーザは、時計回りおよび反時計回りのいずれの回転方向においても、ダイヤル２を回転させ続けることができる。
【００２８】
図４は、図２に示す位相接片の構成を説明するための上面図である。
【００２９】
位相接片６は、弾性形状を有する導電性材料で成形されており、位相接片６の先端には、導電パターン５との接点６ａ、６ｂ、６ｃ、および６ｄが設けられている。ダイヤル２の回転中心から接点６ａ、６ｂ、６ｃ、および６ｄまでの距離は互いに異なっており、４つの接点６ａ〜６ｄの回転軌跡は互いに重ならない配置されている。
【００３０】
接点６ａ〜６ｄは、所定の荷重でフレキシブル基板４に形成された導電パターン５に押し付けられて、電気的に安定してフレキシブル基板４と接続される。さらに、図示のように、接点６ａ〜６ｄの各々は２つの分割接点を有する。これによって、例えば、いずれか一方の分割接点がゴミなどの異物によって導電パターン５と導通できない状態となっても、他方の分割接点によって導電パターンとの導通状態を保持することができる。
【００３１】
接点６ａと接点６ｃとを結ぶ線分Ｌ１、そして、接点６ｂと接点６ｄとを結ぶ線分Ｌ２は、ダイヤル２の回転中心を通る直線上に設定される。また、線分Ｌ１および線分Ｌ２はそれぞれダイヤル２の回転中心に関して互いに反対の位置に設定される。
【００３２】
このように、ダイヤル２の回転中心に対して可能な限り接圧荷重を釣り合わせることによって、位相接片６の傾きを抑制するとともに、ユーザがダイヤル２を回転操作した際の感触不良を抑えることができる。
【００３３】
図５は、図２に示すフレキシブル基板を導電パターンを透視して示す図である。ここでは、図２と同様に、導電パターン５はフレキシブル基板４の上面から透視して示されている。
【００３４】
導電パターン５は、互いに絶縁された信号エリア（複数の導電領域）を有しており、ダイヤル２の回転に応じて位相接片６が信号エリアに摺動可能に接触する。なお、５つの信号エリアのうち１つは基準電位信号（ＧＮＤ信号）エリアである。ＧＮＤ信号は、位相接片６を介して残りの４つの信号エリア（導電領域）と電気的に接続する。
【００３５】
図示の例では、位相接片６のポジション（位置）に応じたダイヤル２の回転位相（回転位置）に従って、４つの信号エリアの各々の信号電位（信号レベル）をアクティブおよび非アクティブのいずれかに切り替えることができる。
【００３６】
ここで、アクティブとは信号レベルがハイレベル（Ｈレベル）、つまり、「１」を示す状態である。非アクティブとは信号レベルがローレベル（Ｌレベル）、つまり、「０」を示す状態である。モード数がｎ（ｎは２以上の整数）個であるダイヤル２の場合、ｎ種類の信号エリアの各々の信号レベルの組み合わせを備える導電パターン５（複数の導電領域）を配置することが考えられる。
【００３７】
この場合には、モード数ｎに応じて導電パターン５の面積が増加してしまい、ダイヤル２ばかりでなく、カメラ１自体が大きくなってしまう。このため、モード数ｎを信号エリアの各々の信号レベル「０」および「１」の組合せ、つまり、２進数に変換することによって信号数を削減することが可能なグレイコードを用いる。
【００３８】
２進数における「１」は前述の信号電位Ｈレベルに置き換えられ、「０」は信号電位Ｌレベルに置き換えられる。グレイコードは、隣接したコードに移行する際に、複数の信号のうち必ず１つの信号レベルのみが変化するという規則を有している。
【００３９】
以下、コード（信号レベル）の説明の際には、信号電位Ｈレベルであれば「Ｈ」、信号電位がＬレベルであれば「Ｌ」という。また、コード配列（「Ｈ」および「Ｌ」２種類の信号レベルからなる複数の組み合わせ）を「信号Ｔ１」、「信号Ｔ２」、「信号Ｔ３」、および「信号Ｔ４」とする。
【００４０】
図６は、図２に示す記憶部に記録されたコード配列表の一例を示す図である。ここでは、コード配列のポジション（位置）、モード（撮影モード）、およびコードの関係が示されている。
【００４１】
ポジション数が９で、かつモード数が９のダイヤル２に割り当てるコードとして、モード数に２を加えた１１通りのコードを準備する。この際、１１通りのコードを互いに異なる配列とする。さらに、コードＣ１〜Ｃ９間において隣接するコードに移動する際に変化する信号は、必ず１種類のみのコード配列とする。つまり、４つの信号エリア（信号Ｔ１〜Ｔ４）のうちいずれか一つの信号レベルのみが変化するコード配列とする。加えて、コードＣ９からコードＣ１０又はコードＣ１０からコードＣ１へのコードの移動の際にも、変化する信号は１種類のみのコード配列とする。同様に、コードＣ９からコードＣ１１又はコードＣ１１からコードＣ１へのコードの移動の際にも変化する信号は１種類のみのコード配列とする。
【００４２】
導体パターンにはコードＣ１からコードＣ９までに対応するパターンが設けられ、コードＣ１０およびＣ１１に係るパターンについては設けない（図６において、ポジション「ｎｏｔｈｉｎｇ」）。そして、コードＣ１〜Ｃ９にはそれぞれモードＡ〜Ｉを割り当てる。さらに、コードＣ１０およびＣ１１には、コードＣ１又はコードＣ９に割り当てられたモードと同一のモード、つまり、モードＡ又はモードＩを割り当てる。図示の例では、コードＣ１０およびＣ１１にはモードＩが割り当てられている。
【００４３】
なお、コードＣ１０およびＣ１１にモードＡ又はモードＩを割り当てれば、同一のモード（コードＣ１０およびＣ１１の双方がモードＡ又はモードＩ）であっても、異なるモード（一方がモードＡで、他方がモードＩ）でもよい。
【００４４】
図７は図１に示すカメラにおいてユーザによるダイヤルの回転操作を示す斜視図である。そして、図７（ａ）はダイヤルを時計回りに回転操作する状態を示す斜視図であり、図７（ｂ）はダイヤルを反時計回りに回転操作する状態を示す斜視図である。
【００４５】
図８および図９は図２に示す電子ダイヤル装置を回転操作した際の導電パターンに対する位相接片およびクリック板７の位置関係を示す図である。そして、図８（ａ）〜図８（ｃ）はダイヤルを時計回りに回転操作した際の導電パターンに対する位相接片およびクリック板の位置関係を説明するための図である。また、図９（ａ）および図９（ｂ）はダイヤルを反時計回りに回転操作した際の導電パターンに対する位相接片およびクリック板の位置関係を説明するための図である。
【００４６】
まず、図７（ａ）および図８（ａ）〜図８（ｃ）を参照して、ユーザがダイヤル２を時計回り（ＣＷ）に回転操作した際のモード設定について説明する。
【００４７】
いま、図７（ａ）に示すように、ユーザがダイヤル２をＣＷ方向に回転操作したとする。図８（ａ）には、ダイヤル２がポジションＰ２に位置する際の導電パターン５に対する位相接片６およびクリック板７の位置関係が示されている。位相接片６において、接点６ａは導電パターン５の信号Ｔ１と接続し、接点６ｂ〜６ｄは信号ＧＮＤと接続した状態である。この場合、ダイヤル２はコードＣ２の信号レベルの組み合わせ「ＬＨＨＨ」で導電パターン５と接続することになる。この際には、モード設定部１５はコードテーブルに基づいてモードＢを設定する。
【００４８】
クリックボール８は、クリック板７の谷部Ｖ２と係合した状態にあり、クリックばね９の付勢力Ｆ１によってクリック板７の径方向に押し付けられる。これによって、クリックボール８の位置は谷部Ｖ２で安定する。つまり、ダイヤル２の位置は、ポジションＰ２で安定する。
【００４９】
図８（ｂ）には、ダイヤル２をポジションＰ２からＣＷ方向に回転角度θ／２＝２０ｄｅｇ回転した際の導電パターン５に対する位相接片６およびクリック板７の位置関係が示されている。ダイヤル２はポジションＰ２およびポジションＰ１のちょうど中間に位置する。
【００５０】
図８（ｃ）には、ダイヤル２をポジションＰ２からＣＷ方向に回転角度θ／４＝１０ｄｅｇ回転した際の導電パターン５に対する位相接片６およびクリック板７の位置関係が示されている。ダイヤル２はクリック板７の谷部Ｖ２および山部Ｓ２のちょうど中間に位置する。
【００５１】
なお、回転角度θは、クリック板７の谷間角度に等しく、ダイヤル２のモード数ｎによって決定される角度である。図示の例では、ダイヤル２のモード数ｎ＝９であるので、θ／２＝（３６０°／９）／２＝２０ｄｅｇ、θ／４＝（３６０°／９）／４＝１０ｄｅｇとなる。
【００５２】
図８（ｂ）では、接点６ａ〜６ｄが信号ＧＮＤと接続した状態で、位相接片６は導電パターン５と接続する。この場合、ダイヤル２はコードＣ１の信号レベルの組み合わせ「ＨＨＨＨ」で導電パターン５と接続することになる。この際には、モード設定部１５はコードテーブルに基づいてモードＡを設定する。
【００５３】
クリックボール８は、クリック板７の山部Ｓ２に位置しており、クリックばね９の付勢力Ｆ２によってクリック板７の径方向に押し付けられ、クリックボール８の位置は山部Ｓ２で安定する。これによって、ダイヤル２の位置は、ポジションＰ２とポジションＰ１との間、具体的には、山部Ｓ２において安定し、ダイヤル２はポジションＰ２からポジションＰ１に向かって回転する途中で止まる。
【００５４】
図８（ｃ）では、接点６ａは導電パターン５の信号Ｔ１と信号ＧＮＤとの間にあり、信号Ｔ１および信号ＧＮＤのいずれにも接続せず、接点６ｂ〜６ｄが信号ＧＮＤと接続した状態で、位相接片６は導電パターン５と接続する。この場合、ダイヤル２はコードＣ２の信号レベルの組み合わせ「ＬＨＨＨ」からコードＣ１の信号レベルの組み合わせ「ＨＨＨＨ」に切り替わる。
【００５５】
クリックボール８は、クリック板７の谷部Ｖ２と山部Ｓ２とのちょうど中間の斜面部Ｖ−Ｓ２に位置している。そして、クリックばね９の付勢力Ｆ３が斜面部Ｖ−Ｓ２において分散される結果、クリック板７をＣＣＷ方向に回転する力が作用する。この結果、クリックボール８の位置は、斜面部Ｖ−Ｓ２において不安定となる。
【００５６】
一方、付勢力Ｆ３がクリック板７をＣＣＷ方向に回転させるように作用するので、クリックボール８は谷部Ｖ２に引き戻されて安定する。よって、ダイヤル２が斜面部Ｖ−Ｓ２で止まることはない。
【００５７】
ここで、図７（ａ）に示すように、ユーザが電子ダイヤル装置１００をモードＢ（ポジションＰ２）からモードＡ（ポジションＰ１）に切り替えるため、ダイヤル２をＣＷ方向に回転させたとする。この場合には、ユーザの指がファインダ部１６に当たる可能性がある。この結果、ユーザはダイヤル２をポジションＰ１まで完全に回転することができず、ダイヤル２がポジションＰ２とポジションＰ１との間、具体的には、図８（ｂ）に示す山部Ｓ２において停止することがある。
【００５８】
一方、図示の電子ダイヤル装置１００では、図８（ｂ）および図８（ｃ）で説明したように、山部Ｓ２において既にコードＣ１の信号レベルの組み合わせ「ＨＨＨＨ」（モードＡ）に移行している。よって、ユーザがダイヤル２をＣＷ方向に回転して、図８（ｂ）に示すように山部Ｓ２（クリック力が零となる頂点）において停止したとしても、ユーザの操作意図のどおりに電子ダイヤル装置１００のモードはモードＡに設定されることになる。
【００５９】
このようにして、ポジションの数がｎ（ｎは２以上の整数）である場合に、ＣＷ方向にダイヤル２を回転操作する際、モード設定部１５は指標からの回転角度が（３６０°／ｎ）／４ｄｅｇとなる位置で動作モードを切り替える。
【００６０】
なお、ユーザよるダイヤル２の回転操作を阻害する要素はファインダ部１６には限らない。例えば、ダイヤル２の傍に凸部状の要素が配置されていれば、同様にダイヤル２の回転操作が阻害されて上述のような途中止まりが誘発される。
【００６１】
続いて、図７（ｂ）、図９（ａ）、および図９（ｂ）を参照して、図７（ｂ）に示すように、ユーザが電源レバー１２を反時計回り（ＣＣＷ）の方向に回転操作する際、意図せずにダイヤル２をＣＣＷ方向に回転してしまったとする。
【００６２】
図９（ａ）には、ダイヤル２をポジションＰ２からＣＣＷ方向に回転角度θ／２＝２０ｄｅｇ回転した際の位置が示されており、ダイヤル２はポジションＰ２およびポジションＰ３のちょうど中間に位置する。
【００６３】
図９（ａ）では、接点６ａが信号Ｔ１と接続し、接点６ｂ〜６ｄが信号ＧＮＤと接続した状態で、位相接片６は導電パターン５と接続する。この場合、ダイヤル２はコードＣ２の信号レベルの組み合わせ「ＬＨＨＨ」で導電パターン５と接続することになる。この際には、モード設定部１５はコードテーブルに基づいてモードＢを設定する。
【００６４】
図９（ａ）においては、図８（ｂ）と同様に、クリックボール８の位置は、クリック板７の山部Ｓ３で安定する。そして、ダイヤル２は山部Ｓ３で止まる。
【００６５】
図９（ｂ）では、ダイヤル２はポジションＰ２からＣＣＷ方向に回転角度３θ／４＝３０ｄｅｇ回転した位置にある。ここでは、ダイヤル２はクリック板７の谷部Ｖ３および山部Ｓ３のちょうど中間に位置する。
【００６６】
図９（ｂ）では、接点６ｂは信号Ｔ４および信号ＧＮＤのいずれにも接続せず、接点６ａが信号Ｔ１、接点６ｃおよび６ｄが信号ＧＮＤと接続した状態で、位相接片６は導電パターン５と接続する。この場合、ダイヤル２はコードＣ２の信号レベルの組み合わせ「ＬＨＨＨ」からコードＣ３の信号レベルの組み合わせ「ＬＨＨＬ」に切り替わる。
【００６７】
図８（ｃ）と同様に、図９（ｂ）ではクリックボール８は、クリック板７の谷部Ｖ３と山部Ｓ３とのちょうど中間の斜面部Ｖ−Ｓ３に位置している。そして、クリックばね９の付勢力Ｆ３が斜面部Ｖ−Ｓ３において分散される結果、クリック板７をＣＣＷ方向に回転する力が作用する。この結果、クリックボール８の位置は、斜面部Ｖ−Ｓ２において不安定となる。
【００６８】
一方、付勢力Ｆ３がクリック板７をＣＣＷ方向に回転させるように作用するので、クリックボール８は谷部Ｖ３に押し出されて安定する。よって、ダイヤル２が斜面部Ｖ−Ｓ３で止まることはない。
【００６９】
ここで、図７（ｂ）に示すように、ユーザがカメラ１の電源をＯＦＦからＯＮに切り替えるために、電源レバー１２をＣＣＷ方向に回転させた際には、ユーザの指がダイヤル２に当たる可能性がある。この結果、ユーザは意図せずにダイヤル２をＣＣＷ方向に回転させてしまい、ポジションＰ２とポジションＰ３との間、具体的には、図９（ｂ）に示す山部Ｓ３でダイヤル２が停止してしまうことがある。
【００７０】
一方、図示の電子ダイヤル装置１００では、前述のように、山部Ｓ３を越えた斜面部Ｖ−Ｓ３において、コードＣ２の信号レベルの組み合わせ「ＬＨＨＨ」（モードＢ）からコードＣ３の信号レベルの組み合わせ「ＬＨＨＬ」（モードＣ）に切り替わる。従って、山部Ｓ３においては、コードＣ２の信号レベルの組み合わせ「ＬＨＨＨ」（モードＢ）の状態である。
【００７１】
よって、ユーザが意図せずにダイヤル２をＣＣＷ方向に回転して、図９（ｂ）に示すように山部Ｓ３においてダイヤル２が止まったとしても、電子ダイヤル装置１００のモードはモードＢに維持される。
【００７２】
このようにして、ポジションの数がｎ（ｎは２以上の整数）である場合に、ＣＣＷ方向にダイヤル２を回転操作する際、モード設定部１５は指標からの回転角度が３×（３６０°／ｎ）／４ｄｅｇとなる位置でモードを切り替える。
【００７３】
このように、本発明の実施の形態では、ユーザがポジション間を移動するようにダイヤル２を回転操作した際に、ダイヤル２が途中で止まっても、ユーザの意図に応じたモードを設定することができる。
【００７４】
なお、カメラ１に備えられた制御部（図示せず）は電子ダイヤル装置１００で設定された動作モードに応じた制御を行う。
【００７５】
以上、本発明の好ましい実施形態について説明したが、本発明はこれらの実施形態に限定されず、その要旨の範囲内で種々の変形及び変更が可能である。
【００７６】
例えば、図１においては、ダイヤル２は、Ｙ軸の回りに回転動作可能にファインダ部１６に対して−Ｘ方向に配置されている。一方、ダイヤル２をＹ軸の回りに回転動作可能にファインダ部１６に対して＋Ｘ方向に配置するようにしてもよい。この場合においても、前述のようにしてユーザの意図に応じたモードを設定することができる。
【００７７】
さらには、ダイヤル２をＸ軸の回りに回転動作可能にファインダ部１６よりも下側に配置するようにしても、同様に、ユーザの意図に応じたモードを設定することができる。
【００７８】
なお、上述の例では、電子ダイヤル装置を備えるカメラについて説明したが、カメラに限定されるものではなく、電子ダイヤル装置はカメラ以外の電子機器にも適用することができる。
【符号の説明】
【００７９】
２  ダイヤル（モードダイヤル）
５  導電パターン
６  位相接片（回転部材）
１０  クリック発生部
１４  記憶部（メモリ）
１５  モード設定部
１６  ファインダ部
１００  電子ダイヤル装置
【図１】
2020102357.tif 000003
【図２】
2020102357.tif 000004
【図３】
2020102357.tif 000005
【図４】
2020102357.tif 000006
【図５】
2020102357.tif 000007
【図６】
2020102357.tif 000008
【図７】
2020102357.tif 000009
【図８】
2020102357.tif 000010
【図９】
2020102357.tif 000011